(57)【特許請求の範囲】
【請求項１】
無線基地局装置と無線回線で接続される無線移動端末と、該無線移動端末に接続される画像表示用アダプタと、画像表示部とを有する、画像表示用アダプタを備えた移動端末であって、
前記無線移動端末は、前記無線基地局装置と該無線移動端末間の回線品質を監視し、回線品質の変化により発生が予測される画像の劣化に対応するために必要な画像表示内容の操作に関する情報を、前記画像表示用アダプタへ通知し、
該画像表示用アダプタはその情報により、前記画像表示部の画像表示内容を自動的に操作して適切な画像表示に変更することを特徴とする画像表示用アダプタを備えた移動端末。
【請求項２】
前記無線移動端末は、前記無線基地局のアンテナとの間で電波の送受信を行うアンテナと、該アンテナで受信した電波から音声やデータや画像情報を再生し、入力した音声やデータや画像から信号を生成して前記アンテナを経由して前記基地局装置へ送信する送受信処理出力部と、画像情報を前記画像表示用アダプタに出力する画像情報出力部と、前記送受信処理出力部で受信した信号から前記無線基地局装置と前記無線移動端末との間の回線の品質を監視する回線品質監視部と、回線品質に対応した前記画像表示部における適切な画像表示方法を選択する表示方法選択部と、選択した表示方法を前記画像表示用アダプタに出力する表示方法指示部とを備え、
前記画像表示用アダプタは、前記画像情報出力部から画像情報を受けて前記画像表示部に画像を表示する画像表示処理部と、前記表示方法指示部の指示を受けて前記画像表示処理部に対し適切な表示に変更する操作を自動的に行う表示操作部とを備えた請求項１に記載の画像表示用アダプタを備えた移動端末。
【請求項３】
無線基地局装置と無線回線で接続される無線移動端末と、該無線移動端末に接続される画像表示用アダプタと、画像表示部とを有する、画像表示用アダプタを備えた移動端末であって、
前記無線移動端末は、前記無線基地局のアンテナとの間で電波の送受信を行うアンテナと、該アンテナで受信した電波から音声やデータや画像情報を再生し、入力した音声やデータや画像から信号を生成して前記アンテナを経由して前記基地局装置へ送信する送受信処理出力部と、画像情報を前記画像表示用アダプタに出力する画像情報出力部と、前記送受信処理出力部で受信した信号から前記無線基地局装置と前記無線移動端末との間の回線の品質を監視する回線品質監視部と、前記回線品質監視部で検出した回線品質情報を前記画像表示用アダプタに出力する回線品質情報送信部とを備え、
前記画像表示用アダプタは、前記画像情報出力部から画像情報を受けて前記画像表示部に画像を表示する画像表示処理部と、前記回線品質情報送信部からの回線品質情報を受信する品質情報受信部と、回線品質に対応した前記画像表示部における適切な画像表示方法を選択する表示方法選択部と、選択した表示方法により前記画像表示処理部に対し適切な表示に変更する操作を自動的に行う表示操作部とを備えたことを特徴とする画像表示用アダプタを備えた移動端末。
【請求項４】
無線基地局装置と無線回線で接続される無線移動端末と、該無線移動端末に接続される画像表示用アダプタと、画像表示部とを有する、画像表示用アダプタを備えた移動端末であって、
前記無線移動端末は、前記無線基地局のアンテナとの間で電波の送受信を行うアンテナと、該アンテナで受信した電波から音声やデータや画像情報を再生し、入力した音声やデータや画像から信号を生成して前記アンテナを経由して前記基地局装置へ送信する送受信処理出力部と、画像情報を前記画像表示用アダプタに出力する画像情報出力部と、前記送受信処理出力部で受信した信号から前記無線基地局装置と前記無線移動端末との間の回線の品質を監視する回線品質監視部と、回線品質に対応した前記画像表示部における適切な画像表示方法を選択する表示方法選択部と、選択した表示方法を前記画像表示用アダプタに出力する表示方法指示部と、前記回線品質監視部で検出した回線品質情報を前記画像表示用アダプタに出力する回線品質情報送信部とを備え、
前記画像表示用アダプタは、前記画像情報出力部から画像情報を受けて前記画像表示部に画像を表示する画像表示処理部と、前記回線品質情報送信部からの回線品質情報を受信する品質情報受信部と、回線品質に対応した前記画像表示部における適切な画像表示方法を選択する表示方法選択部と、前記表示方法選択部および前記表示方法指示部のいずれかの指示を受けて前記画像表示処理部に対し適切な表示に変更する操作を自動的に行う表示操作部とを備えたことを特徴とする画像表示用アダプタを備えた移動端末。
【請求項５】
基地局装置と回線で接続される移動端末と、該移動端末に接続される画像表示用アダプタと、画像表示部と、を有する画像表示用アダプタを備えた移動端末であって、
前記画像表示用アダプタは、前記移動端末と該画像表示用アダプタ間の回線品質を監視し、回線品質の変化により発生が予測される画像の劣化に対応するために必要な画像表示内容の操作に関する情報により、前記画像表示部の画像表示内容を自動的に操作して適切な画像表示に変更することを特徴とする画像表示用アダプタを備えた移動端末。
【請求項６】
基地局装置と回線で接続される移動端末と、該移動端末に接続される画像表示用アダプタと、画像表示部と、を有する画像表示用アダプタを備えた移動端末であって、
前記画像表示用アダプタは、前記移動端末から画像情報を受けて前記画像表示部に画像を表示する画像表示処理部と、前記移動端末と前記画像表示処理部とを結ぶ回線と接続し受信した信号から前記移動端末と前記画像表示処理部との間の回線の品質を監視する回線品質監視部と、該回線品質監視部で検出した回線品質情報に対応した前記画像表示部における適切な画像表示方法を選択する表示方法選択部と、選択した表示方法により前記画像表示処理部に対し適切な表示に変更する操作を自動的に行う表示操作部とを備えたことを特徴とする画像表示用アダプタを備えた移動端末。
【請求項７】
無線基地局装置と無線回線で接続される無線移動端末と、該無線移動端末に接続される画像表示用アダプタと、画像表示部と、を有する画像表示用アダプタを備えた移動端末であって、
前記無線移動端末は、前記無線基地局装置と該無線移動端末間の回線品質を監視し、回線品質の変化により発生が予測される画像の劣化に対応するために必要な画像表示内容の操作に関する情報を、前記画像表示用アダプタへ通知し、
該画像表示用アダプタはその情報により、前記画像表示部の画像表示内容を自動的に操作して適切な画像表示に変更するとともに、前記無線移動端末と該画像表示用アダプタ間の回線品質を監視し、回線品質の変化により発生が予測される画像の劣化に対応するために必要な画像表示内容の操作に関する情報により、前記画像表示部の画像表示内容を自動的に操作して適切な画像表示に変更することを特徴とする画像表示用アダプタを備えた移動端末。
【請求項８】
無線基地局装置と無線回線で接続される無線移動端末と、該無線移動端末に接続される画像表示用アダプタと、画像表示部と、を有する画像表示用アダプタを備えた移動端末であって、
前記無線移動端末は、前記無線基地局のアンテナとの間で電波の送受信を行うアンテナと、該アンテナで受信した電波から音声やデータや画像情報を再生し、入力した音声やデータや画像から信号を生成して前記アンテナを経由して前記基地局装置へ送信する送受信処理出力部と、画像情報を前記画像表示用アダプタに出力する画像情報出力部と、前記送受信処理出力部で受信した信号から前記無線基地局装置と前記無線移動端末との間の回線の品質を監視する回線品質監視部と、回線品質に対応した前記画像表示部における適切な画像表示方法を選択する表示方法選択部と、選択した表示方法を前記画像表示用アダプタに出力する表示方法指示部と、前記回線品質監視部で検出した回線品質情報を前記画像表示用アダプタに出力する回線品質情報送信部とを備え、
前記画像表示用アダプタは、前記画像情報出力部から画像情報を受けて前記画像表示部に画像を表示する画像表示処理部と、前記回線品質情報送信部からの回線品質情報を受信する品質情報受信部と、前記画像情報出力部と前記画像表示処理部とを結ぶ回線と接続して受信した信号から前記画像情報出力部と前記画像表示処理部との間の回線の品質を監視する回線品質監視部と、前記品質情報受信部で受信した回線品質情報および前記回線品質監視部のいずれかで検出した回線品質情報に対応した前記画像表示部における適切な画像表示方法を選択する表示方法選択部と、選択した表示方法および前記表示方法指示部の指示により前記画像表示処理部に対し適切な表示に変更する操作を自動的に行う表示操作部とを備えたことを特徴とする画像表示用アダプタを備えた移動端末。
【請求項９】
無線基地局装置と無線回線で接続される無線移動端末と、該無線移動端末に接続される画像表示用アダプタと、画像表示部と、を有する画像表示用アダプタを備えた移動端末における回線品質変化対応方法であって、
前記無線移動端末が、前記無線基地局装置と該無線移動端末間の回線品質を監視し、回線品質の変化により発生が予測される画像の劣化に対応するために必要な画像表示内容の操作に関する情報を、前記画像表示用アダプタへ通知し、
該画像表示用アダプタはその情報により、前記画像表示部の画像表示内容を自動的に操作して適切な画像表示に変更することを特徴とする画像表示用アダプタを備えた移動端末における回線品質変化対応方法。
【請求項１０】
基地局装置と回線で接続される移動端末と、該移動端末に接続される画像表示用アダプタと、画像表示部と、を有する画像表示用アダプタを備えた移動端末における回線品質変化対応方法であって、
前記画像表示用アダプタが、前記移動端末と該画像表示用アダプタ間の回線品質を監視し、回線品質の変化により発生が予測される画像の劣化に対応するために必要な画像表示内容の操作に関する情報により、前記画像表示部の画像表示内容を自動的に操作して適切な画像表示に変更することを特徴とする画像表示用アダプタを備えた移動端末における回線品質変化対応方法。
【発明の詳細な説明】
【０００１】
【発明の属する技術分野】
本発明は画像表示用アダプタを備えた移動端末に関し、特に接続回線の品質変化に対応した画像表示方法に関する。
【０００２】
【従来の技術】
従来公共事業用途や官公庁用途に優先的に利用されていた移動体通信メディアが、電気通信の自由化を契機として日常的に活用されるようになり、自動車電話や携帯電話の普及が急速に進み、その無線移動端末の内容も多角化されてきている。
【０００３】
その一つとして音声のみならずデータや画像の伝送も行われるようになり、無線移動端末に接続できる画像表示装置も実用化している。
【０００４】
【発明が解決しようとする課題】
しかし無線移動端末は移動しているために、無線基地局装置と接続する接続回線の状況は有線と異なって常に変化しており、無線移動端末に画像端末画像表示用アダプタ等が接続される場合には、無線回線品質が劣化した場合に、回線品質の劣化を原因とした画像の停止、乱れ等の質の低下した画像がそのまま表示される場合がある。
【０００５】
また、無線移動端末と画像表示用アダプタ自体との通信が、ワイヤレス接続などの回線品質が劣化する可能性のある手段によって行われる場合においても、その回線品質の劣化が原因となる画像の停止、乱れ等の質の低下した画像がそのまま表示される場合がある。
【０００６】
本発明の目的は、回線の品質が劣化した場合にも、劣化内容に対応して改善された表示が可能な画像表示用アダプタを備えた移動端末を提供することにある。
【０００７】
【課題を解決するための手段】
本発明の画像表示用アダプタを備えた移動端末は、
無線基地局装置と無線回線で接続される無線移動端末と、その無線移動端末に接続される画像表示用アダプタと、画像表示部と、を有する画像表示用アダプタを備えた移動端末であって、無線移動端末は、無線基地局装置とその無線移動端末間の回線品質を監視し、回線品質の変化により発生が予測される画像の劣化に対応するために必要な画像表示内容の操作に関する情報を、画像表示用アダプタへ通知し、その画像表示用アダプタはその情報により、画像表示部の画像表示内容を自動的に操作して適切な画像表示に変更する。
【０００８】
回線品質に対応した画像表示部における適切な画像表示方法の選択は無線移動端末で行われてもよく、一つの態様では画像表示用アダプタで行われ、他の態様では切替えによって無線移動端末および画像表示用アダプタのいずれかで行われる。
【０００９】
他の態様では、基地局装置と回線で接続される移動端末と、その移動端末に接続される画像表示用アダプタと、画像表示部と、を有する画像表示用アダプタを備えた移動端末であって、画像表示用アダプタは、移動端末とその画像表示用アダプタ間の回線品質を監視し、回線品質の変化により発生が予測される画像の劣化に対応するために必要な画像表示内容の操作に関する情報により、画像表示部の画像表示内容を自動的に操作して適切な画像表示に変更する。
【００１０】
さらに他の態様では、無線基地局装置と無線回線で接続される無線移動端末と、その無線移動端末に接続される画像表示用アダプタと、画像表示部と、を有する画像表示用アダプタを備えた移動端末であって、無線移動端末は、無線基地局装置とその無線移動端末間の回線品質を監視し、回線品質の変化により発生が予測される画像の劣化に対応するために必要な画像表示内容の操作に関する情報を、画像表示用アダプタへ通知し、その画像表示用アダプタはその情報により、画像表示部の画像表示内容を操作して適切な画像表示に変更するとともに、無線移動端末とその画像表示用アダプタ間の回線品質を監視し、回線品質の変化により発生が予測される画像の劣化に対応するために必要な画像表示内容の操作に関する情報により、画像表示部の画像表示内容を自動的に操作して適切な画像表示に変更する。
【００１１】
本発明の回線品質変化対応方法は、
無線基地局装置と無線回線で接続される無線移動端末と、その無線移動端末に接続される画像表示用アダプタと、画像表示部と、を有する画像表示用アダプタを備えた移動端末における回線品質変化対応方法であって、無線移動端末が、無線基地局装置とその無線移動端末間の回線品質を監視し、回線品質の変化により発生が予測される画像の劣化に対応するために必要な画像表示内容の操作に関する情報を、画像表示用アダプタへ通知し、その画像表示用アダプタはその情報により、画像表示部の画像表示内容を自動的に操作して適切な画像表示に変更する。
【００１２】
他の態様では、基地局装置と回線で接続される移動端末と、その移動端末に接続される画像表示用アダプタと、画像表示部と、を有する画像表示用アダプタを備えた移動端末における回線品質変化対応方法であって、画像表示用アダプタが、移動端末とその画像表示用アダプタ間の回線品質を監視し、回線品質の変化により発生が予測される画像の劣化に対応するために必要な画像表示内容の操作に関する情報により、画像表示部の画像表示内容を自動的に操作して適切な画像表示に変更する。
【００１３】
画像表示用アダプタを備え、無線基地局装置と携帯電話等の無線移動端末間の回線品質を監視し、画像表示用アダプタへのデータにその情報を乗せて送ることが可能な無線移動端末と、その情報により、表示内容を操作することが可能である画像表示用アダプタの発明と、移動端末と画像表示用アダプタ間の回線品質の劣化が考え得る場合に、回線状態を監視し、その情報により表示内容を操作することが可能である画像表示用アダプタの発明であり、回線状況の変化に対応した適切な画像表示を得ることができる。
【００１４】
【発明の実施の形態】
次に、本発明の実施の形態について図面を参照して説明する。図１は本発明の第１と第２の実施の形態の画像表示用アダプタを備えた移動端末を含む移動体通信システムの模式図である。
【００１５】
移動体通信システムには無線基地局装置１１０と、無線基地局装置１１０と無線回線で接続される無線移動端末１２０と、無線移動端末１２０に接続される画像表示用アダプタ１３０と画像表示部１４０とが含まれている。
【００１６】
無線移動端末１２０は、無線基地局装置１１０と携帯電話等の無線移動端末１２０との間の回線品質を監視し、回線品質の変化により発生が予測される画像の劣化に対応するために必要な画像表示内容の操作に関する情報を、画像表示用アダプタ１３０へのデータに乗せて通知し、画像表示用アダプタ１３０はその情報により、画像表示部１４０の画像表示内容を操作して適切な画像表示に変更する。
【００１７】
図２は本発明の第３の実施の形態の画像表示用アダプタを備えた移動端末を含む移動体通信システムの模式図である。第１と第２の実施の形態では無線基地局装置３１０と無線移動端末３２０回線品質を監視していたが、第３の実施の形態では無線移動端末３２０と画像表示用アダプタ３３０との間の回線品質を監視している。例えば無線移動端末３２０と画像表示用アダプタ３３０間がワイヤレス接続されているような場合、無線移動端末３２０と画像表示用アダプタ３３０との間の回線品質の劣化が考えられる。その場合に、無線移動端末３２０と画像表示用アダプタ３３０との間の回線状態を画像表示用アダプタ３３０で監視し、回線品質の変化により発生が予測される画像の劣化に対応するために画像表示内容を適切な表示に変更する操作を行う。この場合基地局装置と移動端末とは有線で接続されていてもこの実施の形態は適用できる。
【００１８】
次に本発明の第１の実施の形態の画像表示用アダプタを備えた移動端末の構成について図面を参照して説明する。図３は本発明の第１の実施の形態の画像表示用アダプタを備えた移動端末の構成を示すブロック構成図である。
【００１９】
画像表示用アダプタを備えた移動端末は、無線移動端末１２０と画像表示用アダプタ１３０と画像表示部１４０とを備える。
【００２０】
無線移動端末１２０は、無線基地局１１０のアンテナ１１９との間で電波の送受信を行うアンテナ１２９と、アンテナ１２９で受信した電波から音声やデータや画像情報を再生し、入力した音声やデータや画像から信号を生成してアンテナ１２９を経由して基地局装置１１０へ送信する送受信処理出力部１２１と、画像情報を画像表示用アダプタ１３０に出力する画像情報出力部１２２と、送受信処理出力部１２１で受信した信号から無線基地局装置１１０と無線移動端末１２０との間の回線の品質を監視する回線品質監視部１２３と、回線品質に対応した画像表示部１４０における適切な画像表示方法を選択する表示方法選択部１２４と、選択した表示方法を画像表示用アダプタ１３０に出力する表示方法指示部１２５とを備える。
【００２１】
画像表示用アダプタ１３０は、画像情報出力部１２２から画像情報を受けて画像表示部１４０に画像を表示する画像表示処理部１３１と、表示方法指示部１２５の指示を受けて画像表示処理部１３１に対し適切な表示に変更する操作を行う表示操作部１３２とを備える。
【００２２】
送受信処理出力部１２１の構成や機能は従来の画像表示用アダプタを備えた移動端末と同様なのでここでは詳細の説明は省略する。
【００２３】
回線品質監視部１２３の構成や回線品質監視方法は、例えばフレームフォーマットに復元されたデータに付加されているＣＲＣ符号部を計算して伝送誤りを検出するＣＲＣ符号方式などの公知の構成や方法を用いることができる。
【００２４】
ここで、画像表示用アダプタ１３０において適切な表示に変更するとは、回線品質の劣化により、画像の停止や、画質が低下した画像をそのまま表示せずに、例えば、ディスプレイをＯＦＦする、画面の輝度を落とすことにより画質の乱れを目立ちにくくする、回線状況を報告する情報を表示する、回線状況が回復した時に通常の動作に復帰する等の操作を行うことであり、表示方法選択部１２４には予め回線品質の変化に対応した表示方法が選択可能に記憶されている。
【００２５】
画像表示部１４０は画像表示用アダプタ１３０と一体に構成されていても、独立していて画像表示用アダプタ１３０と接続されていてもよい。
【００２６】
次に本発明の第２の実施の形態の画像表示用アダプタを備えた移動端末の構成について図面を参照して説明する。図４は本発明の第２の実施の形態の画像表示用アダプタを備えた移動端末の構成を示すブロック構成図である。
【００２７】
画像表示用アダプタを備えた移動端末は、無線移動端末２２０と画像表示用アダプタ２３０と画像表示部２４０とを備える。
【００２８】
無線移動端末２２０は、無線基地局２１０のアンテナ２１９との間で電波の送受信を行うアンテナ２２９と、アンテナ２２９で受信した電波から音声やデータや画像情報を再生し、入力した音声やデータや画像から信号を生成してアンテナ２２９を経由して基地局装置２１０へ送信する送受信処理出力部２２１と、画像情報を画像表示用アダプタ２３０に出力する画像情報出力部２２２と、送受信処理出力部２２１で受信した信号から無線基地局装置２１０と無線移動端末２２０との間の回線の品質を監視する回線品質監視部２２３と、回線品質監視部２２３で検出した回線品質情報を画像表示用アダプタ２３０に出力する回線品質情報送信部２２６とを備える。
【００２９】
画像表示用アダプタ２３０は、画像情報出力部２２２から画像情報を受けて画像表示部２４０に画像を表示する画像表示処理部２３１と、回線品質情報送信部２２６からの回線品質情報を受信する品質情報受信部２３３と、回線品質に対応した画像表示部２４０における適切な画像表示方法を選択する表示方法選択部２３４と、選択した表示方法により画像表示処理部２３１に対し適切な表示に変更する操作を行う表示操作部２３２とを備える。
【００３０】
第１の実施の形態では適切な画像表示方法の選択を無線移動端末１２０で行っていたが、第２の実施の形態では画像表示用アダプタ２３０で行っている。その他の構成や機能は第１の実施の形態と同じなので説明を省略する。
【００３１】
次に本発明の第３の実施の形態の画像表示用アダプタを備えた移動端末の構成について図面を参照して説明する。図５は本発明の第３の実施の形態の画像表示用アダプタを備えた移動端末の構成を示すブロック構成図である。
【００３２】
画像表示用アダプタを備えた移動端末は、無線移動端末３２０と画像表示用アダプタ３３０と画像表示部３４０とを備える。
【００３３】
無線移動端末３２０は、無線基地局３１０のアンテナ３１９との間で電波の送受信を行うアンテナ３２９と、アンテナ３２９で受信した電波から音声やデータや画像情報を再生し、入力した音声やデータや画像から信号を生成してアンテナ３２９を経由して基地局装置３１０へ送信する送受信処理出力部３２１と、画像情報を画像表示用アダプタ３３０に出力する画像情報出力部３２２とを備える。
【００３４】
画像表示用アダプタ３３０は、画像情報出力部３２２から画像情報を受けて画像表示部３４０に画像を表示する画像表示処理部３３１と、画像情報出力部３２２と画像表示処理部３３１とを結ぶ回線と接続し受信した信号から画像情報出力部３２２と画像表示処理部３３１との間の回線の品質を監視する回線品質監視部３３６と、回線品質監視部３３６で検出した回線品質情報に対応した画像表示部３４０における適切な画像表示方法を選択する表示方法選択部３３４と、選択した表示方法により画像表示処理部３３１に対し適切な表示に変更する操作を行う表示操作部３３２とを備える。
【００３５】
第１の実施の形態と第２の実施の形態では無線基地局装置３１０と無線移動端末３２０との間の回線状況を監視していたが、第３の実施の形態では無線移動端末３２０と画像表示用アダプタ３３０との間の回線状況を監視して、回線品質情報に対応した適切な画像表示方法で画像表示部３４０における表示を操作する。その他の構成や機能は第１の実施の形態と同じなので説明を省略する。
【００３６】
ここでは移動端末を無線端末として説明したが、例えば有線端末にワイヤレス接続する画像表示用アダプタのように、移動端末までの回線に回線劣化が起こりにくく移動端末と画像表示用アダプタ間において回線品質の劣化が起こり得る場合において、その回線品質を監視し画像表示用アダプタにて適切な表示に変更する操作を行う場合にも適用できる。
【００３７】
次に本発明の第４の実施の形態の画像表示用アダプタを備えた移動端末の構成について図面を参照して説明する。図６は本発明の第４の実施の形態の画像表示用アダプタを備えた移動端末の構成を示すブロック構成図である。
【００３８】
画像表示用アダプタを備えた移動端末は、無線移動端末４２０と画像表示用アダプタ４３０と画像表示部４４０とを備える。
【００３９】
無線移動端末４２０は、無線基地局４１０のアンテナ４１９との間で電波の送受信を行うアンテナ４２９と、アンテナ４２９で受信した電波から音声やデータや画像情報を再生し、入力した音声やデータや画像から信号を生成してアンテナ４２９を経由して基地局装置４１０へ送信する送受信処理出力部４２１と、画像情報を画像表示用アダプタ４３０に出力する画像情報出力部４２２と、送受信処理出力部４２１で受信した信号から無線基地局装置４１０と無線移動端末４２０との間の回線の品質を監視する回線品質監視部４２３と、回線品質に対応した画像表示部４４０における適切な画像表示方法を選択する表示方法選択部４２４と、選択した表示方法を画像表示用アダプタ４３０に出力する表示方法指示部４２５と、回線品質監視部４２３で検出した回線品質情報を画像表示用アダプタ４３０に出力する回線品質情報送信部４２６とを備える。
【００４０】
画像表示用アダプタ４３０は、画像情報出力部４２２から画像情報を受けて画像表示部４４０に画像を表示する画像表示処理部４３１と、回線品質情報送信部４２６からの回線品質情報を受信する品質情報受信部４３３と、回線品質に対応した画像表示部４４０における適切な画像表示方法を選択する表示方法選択部４３４と、表示方法選択部４３４または表示方法指示部４２５の指示を受けて画像表示処理部４３１に対し適切な表示に変更する操作を行う表示操作部４３２とを備える。
【００４１】
第４の実施の形態は、第１の実施の形態と第２の実施の形態とを複合させた形態であり、接続する画像表示用アダプタ４３０の有する機能に対応して、表示方法の選択を無線移動端末４２０で行うか、画像表示用アダプタ４３０で行うかを選択できる。無線移動端末４２０に種類の異なる画像表示用アダプタ４３０を接続して用いる場合などに有効である。
【００４２】
次に本発明の第５の実施の形態の画像表示用アダプタを備えた移動端末の構成について図面を参照して説明する。図７は本発明の第５の実施の形態の画像表示用アダプタを備えた移動端末の構成を示すブロック構成図である。
【００４３】
画像表示用アダプタを備えた移動端末は、無線移動端末５２０と画像表示用アダプタ５３０と画像表示部５４０とを備える。
【００４４】
無線移動端末５２０は、無線基地局５１０のアンテナ５１９との間で電波の送受信を行うアンテナ５２９と、アンテナ５２９で受信した電波から音声やデータや画像情報を再生し、入力した音声やデータや画像から信号を生成してアンテナ５２９を経由して基地局装置５１０へ送信する送受信処理出力部５２１と、画像情報を画像表示用アダプタ５３０に出力する画像情報出力部５２２と、送受信処理出力部５２１で受信した信号から無線基地局装置５１０と無線移動端末５２０との間の回線の品質を監視する回線品質監視部５２３と、回線品質に対応した画像表示部５４０における適切な画像表示方法を選択する表示方法選択部５２４と、選択した表示方法を画像表示用アダプタ５３０に出力する表示方法指示部５２５と、回線品質監視部５２３で検出した回線品質情報を画像表示用アダプタ５３０に出力する回線品質情報送信部５２６とを備える。
【００４５】
画像表示用アダプタ５３０は、画像情報出力部５２２から画像情報を受けて画像表示部５４０に画像を表示する画像表示処理部５３１と、回線品質情報送信部５２６からの回線品質情報を受信する品質情報受信部５３３と、画像情報出力部５２２と画像表示処理部５３１とを結ぶ回線と接続して受信した信号から画像情報出力部５２２と画像表示処理部５３１との間の回線の品質を監視する回線品質監視部５３６と、品質情報受信部５３３で受信した回線品質情報または回線品質監視部５３６で検出した回線品質情報に対応した画像表示部５４０における適切な画像表示方法を選択する表示方法選択部５３４と、選択した表示方法により画像表示処理部５３１に対し適切な表示に変更する操作を行う表示操作部５３２とを備える。
【００４６】
第５の実施の形態は、第１の実施の形態と第２の実施の形態と第３の実施の形態とを複合させた形態であり、無線基地局装置５１０と無線移動端末５２０との間の回線の品質の監視とともに無線移動端末５２０と画像表示用アダプタ５３０との間の回線の品質の監視が可能であり、かつ無線基地局装置５１０と無線移動端末５２０との間の回線の品質の監視においては、接続する画像表示用アダプタ５３０の有する機能に対応して表示方法の選択を無線移動端末５２０で行うか、画像表示用アダプタ５３０で行うかを選択できる。
【００４７】
以上説明したように、第５の実施の形態では、無線基地局装置、無線移動端末間の回線品質を監視し、回線品質に応じて画像表示用アダプタに表示変更を指示する情報、もしくはその回線品質情報を送り、画像表示用アダプタはそれらの情報を元に、適切な表示に変更する操作を行う。
【００４８】
また、画像表示用アダプタがワイヤレス接続の様に回線品質が劣化する可能性がある場合には、無線移動端末、画像表示用アダプタ間の回線品質を監視し、回線状態に応じて、画像表示用アダプタが適切な表示に変更する操作を行う。
【００４９】
画像表示用アダプタにて適切な表示に変更するとは、上述のように回線品質の劣化により、画像の停止や、画質が低下した画像をそのまま表示せずに、例えば、ディスプレイをＯＦＦする、画面の輝度を落とすことにより画質の乱れを目立ちにくくする、回線状況を報告する情報を表示する、回線状況が回復した時に通常の動作に復帰する等の操作を行うことである。
【００５０】
画像表示用アダプタは、回線状態情報データが送られてきた場合、または回線品質を監視している場合には、回線状態情報を元に、適切な操作を選択する機能を持つ。また、それぞれのどの操作を行うかの切り替えは、画像表示用アダプタまたは無線移動端末にて設定が可能である構成とする。
【００５１】
第５の実施の形態では、表示方法の選択を無線移動端末５２０で行うか、画像表示用アダプタ５３０で行うかを選択できることとしたが、いずれか一つの方法のみとしてもよい。
【００５２】
次に、第５の実施の形態を例として画像表示用アダプタを備えた移動端末の動作について図面を参照して説明する。第１〜第４の実施の形態の動作については第５の実施の形態に包括されているので個々の説明は省略する。
【００５３】
図８は本発明の第５の実施の形態の無線移動端末の動作を説明するフローチャートであり、図９は本発明の第５の実施の形態の画像表示用アダプタの動作を説明するフローチャートである。
【００５４】
無線移動端末では、通話を開始すると（Ｓ１０１）、無線基地局装置・移動端末間の回線品質管理をするかを確認し（Ｓ１０２）、無線基地局装置・移動端末間の回線品質管理をする選択になっておれば（Ｓ１０２Ｙ）、無線基地局装置・移動端末間の回線品質管理を行い（Ｓ１０３）、回線品質に変化があった場合（Ｓ１０４Ｙ）、無線移動端末で画像表示方法の選択を行うことになっているかを確認し（Ｓ１０５）、無線移動端末で画像表示方法の選択を行うことになっていれば（Ｓ１０５Ｙ）、回線品質の変化状態に対応して画像表示方法を選択し（Ｓ１０６）、選択した画像表示方法を画像表示用アダプタにデータとして出力し（Ｓ１０７）、通話終了でなければ（Ｓ１０９Ｎ）、ステップＳ１０２に戻って動作を繰り返す。通話終了ならば（Ｓ１０９Ｙ）、処理を終了する（Ｓ１１０）。
【００５５】
無線移動端末で画像表示方法の選択を行うことになっていなければ（Ｓ１０５Ｎ）、画像品質情報を画像表示用アダプタに出力し（Ｓ１０８）、通話終了でなければ（Ｓ１０９Ｎ）、ステップＳ１０２に戻って動作を繰り返す。通話終了ならば（Ｓ１０９Ｙ）、処理を終了する（Ｓ１１０）。
【００５６】
無線基地局装置・移動端末間の回線品質管理をする選択になっていなければ（Ｓ１０２Ｎ）、ステップＳ１０９に進み、通話終了でなければ（Ｓ１０９Ｎ）、ステップＳ１０２に戻って動作を繰り返す。通話終了ならば（Ｓ１０９Ｙ）、処理を終了する（Ｓ１１０）。
【００５７】
回線品質に変化がない場合も（Ｓ１０４Ｙ）、ステップＳ１０９に進み、通話終了でなければ（Ｓ１０９Ｎ）、ステップＳ１０２に戻って動作を繰り返す。通話終了ならば（Ｓ１０９Ｙ）、処理を終了する（Ｓ１１０）。
【００５８】
無線移動端末は、無線基地局装置、無線移動端末間の回線品質を監視し、回線状態により画像表示用アダプタ対して適切な表示を指示するデータを出力する。例えば回線状態が劣化した場合には、回線状態に応じて、ディスプレイを消す、輝度を落とす、回線状態情報を表示する等を指示するデータ、もしくは回線状態を報告するデータを画像表示用アダプタに対して送出する。回線状態が回復した場合には、画像表示用アダプタが通常の動作に復帰できるデータを送出する。
【００５９】
画像表示用アダプタでは、通話を開始すると（Ｓ２０１）、無線移動端末からのデータに画像表示変更指示があるかを確認し（Ｓ２０２）、画像表示変更指示があれば（Ｓ２０２Ｙ）、指示に従って画像表示方法を変更し（Ｓ２０３）、通話終了でなければ（Ｓ２１０Ｎ）、ステップＳ２０２に戻って動作を繰り返し、通話終了ならば（Ｓ２１０Ｙ）、処理を終了する（Ｓ２１１）。
【００６０】
無線移動端末からのデータに画像表示変更指示がなければ（Ｓ２０２Ｎ）、無線移動端末からのデータに回線情報があるかを確認し（Ｓ２０４）、回線情報があれば（Ｓ２０４Ｙ）、回線品質の変化状態に対応して画像表示方法を選択し（Ｓ２０５）、選択した画像表示方法により表示を変更し（Ｓ２０６）、通話終了でなければ（Ｓ２１０Ｎ）、ステップＳ２０２に戻って動作を繰り返し、通話終了ならば（Ｓ２１０Ｙ）、処理を終了する（Ｓ２１１）。
【００６１】
無線移動端末からのデータに回線情報がなければ（Ｓ２０４Ｎ）、無線移動端末・画像表示アダプタ間の回線品質管理を行うかを確認し（Ｓ２０７）、無線移動端末・画像表示アダプタ間の回線品質管理を行うのであれば（Ｓ２０７Ｙ）、無線移動端末・画像表示アダプタ間の回線品質を監視し（Ｓ２０８）、回線品質に変化があれば（ｓ２０９Ｙ）、回線品質の変化状態に対応して画像表示方法を選択し（Ｓ２０５）、選択した画像表示方法により表示を変更し（Ｓ２０６）、通話終了でなければ（Ｓ２１０Ｎ）、ステップＳ２０２に戻って動作を繰り返し、通話終了ならば（Ｓ２１０Ｙ）、処理を終了する（Ｓ２１１）。無線移動端末・画像表示アダプタ間の回線品質管理を行わない場合と（Ｓ２０７Ｎ）、回線品質に変化がない場合は（ｓ２０９Ｎ）、ステップＳ２１０に進み、通話終了でなければ（Ｓ２１０Ｎ）、ステップＳ２０２に戻って動作を繰り返し、通話終了ならば（Ｓ２１０Ｙ）、処理を終了する（Ｓ２１１）。
【００６２】
無線移動端末からの受信データに表示変更指示が含まれる場合には、それに応じた表示を出力する。また回線状況が報告される場合には、回線状況に応じて適切な表示を出力する。例えば、ディスプレイを消す、輝度を下げる、状況を表示する等により、質の低下した画像（画像が停止、画質の乱れ等）をそのまま表示し続けることを回避する。
【００６３】
また、無線移動端末、画像表示用アダプタ間がワイヤレス接続される場合のように、回線品質が劣化する可能性のある場合には、その回線品質を画像表示用アダプタが監視し、回線状態を判定し、適切な表示を行う操作をする。また有線端末にワイヤレス接続する画像表示用アダプタのように端末、画像表示用アダプタ間において回線品質の劣化が起こり得る場合においても、その回線品質を監視し画像表示用アダプタにて適切な表示に変更する操作を行う。
【００６４】
無線移動端末または上述の有線端末と画像表示用アダプタとの間の回線品質を、第３、第５の実施の形態のように画像表示用アダプタで品質判定を行うことはせず、無線移動端末、有線端末側が監視して状態を判定し、画像表示用アダプタへのデータにその情報を乗せることもできる。
【００６５】
【発明の効果】
以上説明したように本発明は、基地局装置、移動端末間または、移動端末、画像表示用アダプタ間の回線品質を管理し、回線品質が劣化した場合には、画像表示用アダプタに対して適切な表示（ディスプレイを消す、輝度を落とす、回線品質情報を表示する、等）を行わせるので、回線品質が劣化したことにより起こり得る、質の低下した画像（画像の停止、画質の乱れ等）をそのまま表示することを避けることができるという効果がある。
【図面の簡単な説明】
【図１】本発明の第１と第２の実施の形態の画像表示用アダプタを備えた移動端末を含む移動体通信システムの模式図である。
【図２】本発明の第３の実施の形態の画像表示用アダプタを備えた移動端末を含む移動体通信システムの模式図である。
【図３】本発明の第１の実施の形態の画像表示用アダプタを備えた移動端末の構成を示すブロック構成図である。
【図４】本発明の第２の実施の形態の画像表示用アダプタを備えた移動端末の構成を示すブロック構成図である。
【図５】本発明の第３の実施の形態の画像表示用アダプタを備えた移動端末の構成を示すブロック構成図である。
【図６】本発明の第４の実施の形態の画像表示用アダプタを備えた移動端末の構成を示すブロック構成図である。
【図７】本発明の第５の実施の形態の画像表示用アダプタを備えた移動端末の構成を示すブロック構成図である。
【図８】本発明の第５の実施の形態の無線移動端末の動作を説明するフローチャートである。
【図９】本発明の第５の実施の形態の画像表示用アダプタの動作を説明するフローチャートである。
【符号の説明】
１１０、２１０、３１０、４１０、５１０  無線基地局装置
１１９、１２９、２１９、２２９、３１９、３２９、４１９、４２９、５１９５２９  アンテナ
１２０、２２０、３２０、４２０、５２０  無線移動端末
１２１、２２１、３２１、４２１、５２１  送受信処理出力部
１２２、２２２、３２２、４２２、５２２  画像情報出力部
１２３、２２３、３３６、４２３、５２３、５３６  回線品質監視部
１２４、２３４、３３４、４２４、４３４、５２４、５３４  表示方法選択部
１２５、４２５、５２５  表示方法指示部
１３１、２３１、３３１、３４１、３５１  画像表示処理部
１３２、２３２、３３２、４３２、５３２  表示操作部
１４０、２４０、３４０、４４０、４５０  画像表示部
２２６、４２６、５２６  回線品質情報送信部
２３３、４３３、５３３  品質情報受信部
Ｓ１０１〜Ｓ１１０、Ｓ２０１〜Ｓ２１１  ステップ
【図１】
0003669413.tif 000002
【図２】
0003669413.tif 000003
【図３】
0003669413.tif 000004
【図４】
0003669413.tif 000005
【図５】
0003669413.tif 000006
【図６】
0003669413.tif 000007
【図７】
0003669413.tif 000008
【図８】
0003669413.tif 000009
【図９】
0003669413.tif 000010